(57)【要約】【課題】カラーで読取る場合は、３本の光電変換素子列の上を覆うように赤色フィルタ緑色フィルタ青色フィルタが設けられているので、時間当たりの光情報（受光量）が低下しており、同じ条件では単色で読取る場合より読取り速度を遅くする必要がある。【解決手段】選択釦が押下されたか否かを判断するとともに押下された釦がカラー（複数色）での読取か否かを判断する（Ｓ１１）。このＳ１１でカラーの読取が選択されたと判断すると（Ｓ１１でのＹ）、非時間系調整手段により光源の光量をカラー読取光量として第１の光量に設定をする（Ｓ１２）。また、Ｓ１１でモノクロ（単色）での読取が選択されたと判断すると（Ｓ１１でのＮ）、非時間系調整手段により光源の光量を例えばカラーでの読取光量の半分の第２の光量に低下するように設定をする（Ｓ１３）。【選択図】  図３
2004343673.tif 000002
【特許請求の範囲】
【請求項１】
原稿に光を照射する光源と、
光電変換素子の上を覆う有色の第１乃至第ｎの色フィルタを備え各色フィルタを介して前記光源からの光情報受光可能なｎ本の第１の光電変換素子列が互いに平行に設けられるとともに、このｎ本の光電変換素子列と互いに平行に設けられ光電変換素子の上を覆い可視光全域を透過するフィルタを介してまたは光電変換素子の上を覆うフィルタを設けること無く前記光源からの光情報を光受可能な第２の光電変換素子列を有するＣＣＤセンサと、
前記第１の光電変換素子列のみで読取を行う第１の読取手段と、
前記第２の光電変換素子列のみで読取を行う第２の読取手段と、
前記第１の読取手段で読取る場合には、前記光源からの光情報の進行方向に対して前記第１の光電変換素子列の光電変換素子の前後少なくとも一方に光情報を非時間系で調整する非時間系調整手段を備えたことを特徴にする画像入力装置。
【請求項２】
原稿に光を照射する光源と、
光電変換素子の上を覆う赤色フィルタを備え赤色フィルタを介して前記光源からの光情報受光可能な赤色光電変換素子列とこの赤色光電色フィルタと平行で光電変換素子の上を覆う緑色フィルタを備え緑色フィルタを介して前記光源からの光情報受光可能な緑色光電変換素子列とこの緑色光電変換素子列と平行で光電変換素子の上を覆う青色フィルタを備え青色フィルタを介して前記光源からの光情報受光可能な青色変換素子列とこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有するＣＣＤセンサと、
前記赤色光電変換素子列と前記緑色光電変換素子列と前記青色光電変換素子列のみで読取を行う第１の読取手段と、
前記単色光電変換素子列のみで読取りを行う第２の読取手段と、
前記第１の読取手段で画像を読取る場合に、前記光源からの光情報の進行方向に対して使用する各光電変換素子列の前後の少なくとも一方に光情報を非時間系で調整する非時間系調整手段を備えたことを特徴にする画像入力装置。
【請求項３】
カラーで読取る場合は前記第１の読取手段で画像を読取り、単色で読取る場合は前記第２の読取手段で画像を読取ることを特徴にする請求項１または２記載の画像入力装置。
【請求項４】
前記非時間系調整手段は前記光源の光量を調整する光量調整手段であることを特徴にする請求項１乃至３の何れか一記載の画像入力装置。
【請求項５】
前記非時間系調整手段は前記第１の読取手段で読取る場合は前記第２の読取手段で読取りの場合より多くの前記光源を点灯させる光源数調整手段であることを特徴とする請求項３記載の画像入力装置。
【請求項６】
前記非時間系調整手段は、前記第１の読取手段で読取る場合に用いる光電変換素子列からの光情報を入力し、入力された光情報を増幅する増幅手段であることを特徴にする請求項３記載の画像入力装置。
【請求項７】
請求項１乃至６の何れか一記載の画像入力装置と、
この入力装置からの出力された画像信号に基づいて画像を形成する画像形成部とを備えたことを特徴にする画像形成装置。
【発明の詳細な説明】
【０００１】
【発明の属する技術分野】
本発明は、画像入力装置及び画像形成装置に関する。
【０００２】
【従来の技術】
従来カラー画像を読取る場合には３本の光電変換素子列を使用して線順次方式で読取り、単色で読取る場合にはカラーで読取るときに使用する３本の光電変換素子列と異なる光電変換素子列を使用して画像を読取る技術がある。また、カラーで読取る場合は、３本の光電変換素子列の上を覆うように赤色フィルタ緑色フィルタ青色フィルタが設けられている。
【０００３】
【特許文献１】
特開平１０−１３６１５１号公報（図１、第１頁）−
【０００４】
【発明が解決しようとする課題】
しかしながら、カラーで読取る場合は、３本の光電変換素子列の上を覆うように赤色フィルタ緑色フィルタ青色フィルタが設けられているので、時間当たりの光情報（受光量）が低下しており、同じ条件では単色で読取る場合より読取り速度を遅くする必要がある。
【０００５】
本発明は、カラーでの読取りと単色での読取りの時間を同じ時間で処理できることを目的とする。
【０００６】
【課題を解決するための手段】
請求項１記載の発明は、原稿に光を照射する光源と、光電変換素子の上を覆う有色の第１乃至第ｎの色フィルタを備え各色フィルタを介して前記光源からの光情報受光可能なｎ本の第１の光電変換素子列が互いに平行に設けられるとともに、このｎ本の光電変換素子列と互いに平行に設けられ光電変換素子の上を覆い可視光全域を透過するフィルタを介してまたは光電変換素子の上を覆うフィルタを設けること無く前記光源からの光情報を光受可能な第２の光電変換素子列を有するＣＣＤセンサと、前記第１の光電変換素子列のみで読取を行う第１の読取手段と、前記第２の光電変換素子列のみで読取を行う第２の読取手段と、前記第１の読取手段で読取る場合には、前記光源からの光情報の進行方向に対して前記第１の光電変換素子列の光電変換素子の前後少なくとも一方に光情報を非時間系で調整する非時間系調整手段を備えたものである。
【０００７】
請求項１記載の発明によれば、画像読取手段の前後の少なくとも一方で光情報を非時間系で調整する非時間系調整手段により色フィルタで時間当たりの光情報の低下を調整することが出来る。
【０００８】
また請求項２記載の発明は、原稿に光を照射する光源と、光電変換素子の上を覆う赤色フィルタを備え赤色フィルタを介して前記光源からの光情報受光可能な赤色光電変換素子列とこの赤色光電色フィルタと平行で光電変換素子の上を覆う緑色フィルタを備え緑色フィルタを介して前記光源からの光情報受光可能な緑色光電変換素子列とこの緑色光電変換素子列と平行で光電変換素子の上を覆う青色フィルタを備え青色フィルタを介して前記光源からの光情報受光可能な青色変換素子列とこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有するＣＣＤセンサと、前記赤色光電変換素子列と前記緑色光電変換素子列と前記青色光電変換素子列のみで読取を行う第１の読取手段と、前記単色光電変換素子列のみで読取りを行う第２の読取手段と、前記第１の読取手段で画像を読取る場合に、前記光源からの光情報の進行方向に対して使用する各光電変換素子列の前後の少なくとも一方に光情報を非時間系で調整する非時間系調整手段を備えたものである。
【０００９】
請求項２記載の発明によれば、画像読取手段の前後の少なくとも一方で光情報を非時間系で調整する非時間系調整手段により色フィルタで時間当たりの光情報の低下を調整することが出来る。
【００１０】
【発明の実施の形態】
（第１の実施の形態）
以下に本発明の第１の実施の形態を図１乃至図４に基づいて説明をする。図１は画像入力装置の例としてのスキャナの電気的ブロック図を示す。図２は図１で示されたＣＣＤセンサの内部回路を詳細に説明をした図を示す。図３はＣＣＤセンサの読取りタイミングを示す図を示す。図４は本第１の実施の形態のフローチャートを示す図である。
【００１１】
先ず、図１に示したスキャナの電気的ブロック図について説明をする。スキャナ全体の制御を司るＣＰＵ（中央処理装置）１０１。このＣＰＵ１０１はスキャナの制御内容を記憶したＲＯＭ（リード・オンリー・メモリ）１０２、ＣＰＵ１０１によって種々のデータを一時的に記憶するＲＡＭ（ランダム・アクセス・メモリ）１０２がバスライン１０４を介して接続している。また、ＣＰＵ１０１は、原稿から反射されてきた光情報を受光するＣＣＤセンサ（チャージ・カップルド・デバイス・センサ）１１０を制御するＣＣＤセンサ制御回路１６０と、原稿に光を照射する例えばキセノン光源である光源１７１を制御する光源制御回路１７２と、光源１７１を搭載した図示していないキャリアを移動させるモータ１７３を制御するモータ制御回路１７４と、シェーディング補正やガンマ補正などのデータを記憶している画像補正部１７５と、ＣＣＤセンサ１１０から入力されたデータに対して拡大縮小処理や解像度変換などの画像処理を行う画像処理部１７６をバス１０４を介して接続している。さらにＣＰＵ１０１は、原稿読取り条件の設定画面などが表示される表示器１８１を制御する表示器制御回路１８２と、原稿読取り条件として第１の読取手段によってカラー（複数色）として読取るかあるいは第２の読取手段によってモノクロ（単色）として読取るかを選択する選択釦１８３ａと読取り開始を指示する読取開始釦１８３ｂを含みその他解像度設定などの各種釦を備えているキーパネル１８３を制御するキーパネル制御回路１８４と、画像処理部で処理したデータ等を外部へ送出すとともに外部からの指示情報等を受取るインターフェース１７７などがバス１０４を介して接続されている。
【００１２】
次にＣＣＤセンサ１１０の内部構成について図２を用いて詳細に説明をする。ＣＣＤセンサ１１０は赤色光電変換素子ユニット１２０、緑色光電変換素子ユニット１３０、青色光電変換素子ユニット１４０、単色光電変換素子ユニット１５０の大きく４つのユニットから構成されている。
【００１３】
赤色光電変換素子ユニット１２０と緑色光電変換素子ユニット１３０と青色光電素子ユニット１４０は原稿をカラーで読取るときに同時に使用し、第１の光電変換素子列を構成するユニットでもある。また、単色光電変換素子ユニット１５０は原稿をモノクロで読取る時に使用し、第１の光電変換素子列を構成するユニットでもある。
【００１４】
赤色光電変換素子ユニット１２０を詳細に説明をする。この赤色光電変換素子ユニット１２０はカラー原稿を読取る時に原稿上の赤色の文字または画像を読取れないユニットである。この赤色光電変換素子ユニット１２０はフォトダイオードである光電変換素子が直線状に例えば有効画素領域として７５００個配列され、各光電変換素子の上を赤色のフィルタで覆っている第１の光電変換素子列でもある赤色光電変換素子列１２１と、この赤色光電変換素子列１２１の長手方向と直交する方向に隣接し、赤色光電変換素子列１２１の各光電変換素子に蓄電した電荷を漏れ出さないようにする赤色シフトゲート１２２と、この赤色シフトゲート１２２の長手方向と直交する方向に隣接し各赤色光電変換素子で蓄電された電荷を赤色シフトゲート１２２を介して受取る赤色アナログシフトレジスタ１２３を備えている。また、赤色シフトゲート１２２の一端側にはＣＣＤ制御回路１６０から送信され画像読取の１ラインの光蓄積時間ｔＩＮＴ（ＲＧＢ）を定義するシフト信号（ＳＨ信号）を受け入れる入力部を備えている。また赤色アナログシフトレジスタ１２３の一端側にもＣＣＤ制御回路１６０から送られ各赤色光電変換素子の一画素分の電荷をＣＣＤ制御回路１６０へ転送するための第１の転送クロック信号（転送ＣＬＫ１）及び第２の転送クロック信号（転送ＣＬＫ２）を受け入れる入力部を備えている。赤色アナログシフトレジスタ１２３の他端側には各赤色光電変換素子で受光し蓄電された電荷の情報をＣＣＤ制御回路１６０へ転送するための出力部（接続部）１２３ｂが設けられている。
【００１５】
次に緑色光電変換素子ユニット１３０について説明をする。赤色光電変換素子ユニット１２０と同様な部分は説明を省略する。緑色光電変換素子ユニット１３０はカラー原稿を読取る時に原稿上の緑色の文字または画像を読取れないユニットである。この緑色光電変換素子ユニット１３０は光電変換素子が直線状に有効画素領域として７５００個配列され、各光電変換素子の上を緑色のフィルタで覆っている第１の光電変換素子列でもある緑色光電変換素子列１３１と、この緑色光電変換素子列１３１の長手方向と直交する方向に隣接し、緑色光電変換素子列１３１の各光電変換素子に蓄電した電荷を漏れ出さないようにする緑色シフトゲート１３２と、この緑色シフトゲート１３２の長手方向と直交する方向に隣接し各緑色光電変換素子で蓄電された電荷を緑色シフトゲート１３２を介して受取る緑色アナログシフトレジスタ１３３を備えている。また、緑色シフトゲート１３２の一端側にはＳＨ信号を受け入れる入力部を有している。また、緑色アナログシフトレジスタ１３３の一端側にも転送ＣＬＫを受け入れる入力部を備えている。緑色アナログシフトレジスタ１３３の他端側にはＣＣＤ制御回路１６０へ電荷の情報を送信するための出力部（接続部）１３３ｂを備えている。
【００１６】
次に青色光電変換素子ユニット１４０について説明をする。赤色光電変換素子ユニット１２０と同様な部分は説明を省略する。青色光電変換素子ユニット１４０はカラー原稿を読取る時に原稿上の青色の文字または画像を読取れないユニットである。この青色光電変換素子ユニット１４０は光電変換素子が直線状に有効画素領域として７５００個配列され、各光電変換素子の上を青色のフィルタで覆っている第１の光電変換素子列でもある青色光電変換素子列１４１と、この青色光電変換素子列１４１の長手方向と直交する方向に隣接し、青色光電変換素子列１４１の各光電変換素子に蓄電した電荷を漏れ出さないようにする青色シフトゲート１４２と、この青色シフトゲート１４２の長手方向と直交する方向に隣接し各青色光電変換素子で蓄電された電荷を青色シフトゲート１４２を介して受取る青色アナログシフトレジスタ１４３を備えている。また、青色シフトゲート１４２の一端側にはＳＨ信号を受け入れる入力部を有している。また、青色アナログシフトレジスタ１４３の一端側にも転送ＣＬＫを受け入れる入力部を備えている。青色アナログシフトレジスタ１４３の他端側にはＣＣＤ制御回路１６０へ電荷の情報を送信するための出力部（接続部）１４３ｂを備えている。
【００１７】
さらに単色光電変換素子ユニット１５０について詳細に説明をする。赤色光電変換素子ユニット１２０と同様な部分は説明を省略する。この単色光電変換素子ユニット１５０は光電変換素子が直線状に有効画素領域として７５００個配列され、各光電変換素子の上を無色透明のフィルタで覆っている第２の光電変換素子列でもある単色光電変換素子列１５１と、この単色光電変換素子列１５１の長手方向と直交する方向に隣接し、単色光電変換素子列１５１の各光電変換素子に蓄電した電荷を漏れ出さないようにする単色シフトゲート１５２と、この単色シフトゲート１５２の長手方向と直交する方向に隣接し各単色光電変換素子で蓄電された電荷を単色シフトゲート１５２を介して受取る単色アナログシフトレジスタ１５３を備えている。また、単色シフトゲート１５２の一端側にはＣＣＤ制御回路１６０から送信され画像読取の１ライン光蓄積時間ｔＩＮＴ（Ｋ）を定義するシフト信号（ＳＨ信号）を受け入れる入力部を有している。また、単色アナログシフトレジスタ１５３の一端側にも転送ＣＬＫを受け入れる入力部を備えている。単色アナログシフトレジスタ１５３の他端側にはＣＣＤ制御回路１６０へ電荷の情報を送信するための出力部（接続部）１５３ｂを備えている。尚、本第１の実施の形態では無色透明のフィルタを用いているが、このフィルタを設けなくともよい。また、単色光電変換素子ユニット１５０は主として黒色の文字および画像の読取りに用いるので単色を黒色と置き換えてもよい。
【００１８】
尚、赤色光電変換素子列１２１と緑色光電変換素子列１３１と青色光電変換素子列１４１と単色光電変換素子列１５１の両端は一致させて同一平面上に設けられている。すなわち各光電変換素子列は互いに他の光電変換素子列の長手方向と直交方向に平行の位置関係で配列されている。転送ＣＬＫ１と転送ＣＬＫ２は周期が同一でタイミングが逆である為本第１の実施の形態の以降の説明では纏めて転送ＣＬＫとする。
【００１９】
次にＣＣＤセンサ１１０の内部動作について説明をする。各光電変換素子ユニットとも同一であるので代表例として単色光電変換素子ユニット１５０で説明をする。
【００２０】
１ライン光蓄積時間ｔＩＮＴ内のＳＨ信号が「Ｌ」レベルの時に単色光電変換素子ユニット１５０に照射された光エネルギーは光電変換素子に電荷として蓄積され、ＳＨ信号が「Ｈ」レベルの時に、蓄積された電荷は単色シフトゲート１５２を介して単色アナログシフトレジスタ１５３に転送される。単色アナログシフトレジスタ１５３への転送が終了したならばＳＨ信号を「Ｌ」レベルに戻して単色シフトゲート１５２を駆動させ、単色光電変換素子で蓄電されている電荷が単色アナログシフトレジスタ１５３へ漏れ出さないようにする。そして、単色光電変換素子列１５１が照射されることによって単色光電変換素子列１５１に新たな電荷蓄積が始まる。
【００２１】
単色アナログシフトレジスタ１５３に転送された電荷は画素単位で転送ＣＬＫの周期ｔ０でＣＣＤ制御回路１６０に転送される。尚、単色光電変換素子列１１３から電荷が単色アナログシフトレジスタ１５３に電荷が転送されている間、転送ＣＬＫは単色アナログシフトレジスタ１５２への印加を停止している。例えば単色アナログシフトレジスタ１５３に転送された電荷を画素単位で転送する場合、転送ＣＬＫの周波数を２０ＭＨｚ、有効画素数を７５００画素とすれば単色アナログシフトレジスタ１５３にある１ライン分の総ての画素の電荷をＣＣＤ制御回路１６０へ出力するのは３７５μｓ以上が必要である。実施には転送ＣＬＫは有効画素数のほかに空送り部分と光シールド部分とダミー画素部分を含むので、転送ＣＬＫはこれらの部分も含め１ライン分辺り８０００画素分をして設定している。したがって１ライン分総ての画素の電荷をＣＣＤ制御回路１６０へ出力するのは４００μｓの時間を要する。この時間が１ライン分の光蓄積時間ｔＩＮＴとなる。赤色光電変換素子ユニット１２０と緑色光電変換素子ユニット１３０と青色光電変換素子ユニット１４０についても１ライン分光蓄積時間ｔＩＮＴと転送ＣＬＫの周期ｔ０は同一に設定されている。
【００２２】
単色光電変換素子ユニット１５０と例えば青色変換素子ユニット１４０を比較した場合、同一条件であって青色光電変換素子列１４１の各光電変換素子列の上を覆っている青色フィルタによって青色アナログシフトレジスタ１４３からの光情報の方が単色アナログシフトレジスタ１５３からの光情報に比べ出力が低下する。他の赤色フィルタや緑色フィルタを備えている場合も同様である。このことより単色光電変換素子列１５１からの出力は他の有色フィルタを備えているどの第１の光電変換素子列からの出力よりも大きいことがいえる。すなわち単色光電変換素子ユニット１５０で得られた出力信号の振幅は他の有色フィルタを備えているどの光電変換素子ユニットから得られる出力信号の振幅よりも大きいことがいえる。例えば有色フィルタによって光電変換素子の感度が半分に低減されるのであれば、有色フィルタを備えた光電変換素子ユニットからの出力信号の振幅を非時間系調整手段によって２倍にするように調整すれば単色光電変換素子ユニットからの出力振幅になり、異なる光電変換素子ユニットで読取った差異を吸収できることになる。本来であれば各色毎に感度の低減が異なると考えられるのでそれぞれについて調整を行うのが望ましいが、色フィルタの有無と比較して色の違いによる感度の低下の差が微小である。そのため内部制御を単純化し、本第１の実施の形態では一つの例として青色フィルタを備えた青色光電変換素子ユニット１４０からの出力調整を透明フィルタの単色光電変換素子ユニット１５０からの出力と同一条件で同一の出力振幅が得られるように調整した場合として説明をする。
【００２３】
次に図３を用いて第１の実施の形態のフローチャートを説明する。画像入力装置１００に備えられている選択釦１８３ａが押下されたか否かを判断手段で判断するとともに押下された釦がカラー（複数色）での読取か否かを判断する（ステップ１１以下Ｓ１１と略する）。このＳ１１でカラーでの読取が選択されたと判断すると（Ｓ１１でのＹ）、また、Ｓ１１で非時間系調整手段により光源１７１の光量をカラー読取光量として第１の光量に設定をする（Ｓ１２）。モノクロ（単色）での読取が選択されたと判断すると（Ｓ１１でのＮ）、非時間系調整手段により光源１７１の光量を例えばカラーでの読取光量の半分の第２の光量に低下するように設定をする（Ｓ１３）。次にオペレータによって読取開始釦１８３ｂが押下されたことの判断に起因して光源１７１が設定されている光量を発光するように光源制御回路１７２に指示を出すとともにモータ制御回路１７４にモータ１７３の駆動開始を指示する（Ｓ１４）。このとき１ライン当たりの処理時間である光蓄積時間は標準値に統一されているので、モータ１７３の回転速度は単色の場合でもカラーの場合でも同一速度に制御される。モータ１７３の回転速度が一定速度になったならば、各ラインの読取を始める（Ｓ１５）。このときカラーが選択されていたならば、赤色光電変換素子ユニット１２０と緑色光電変換素子ユニット１３０及び青色光電変換素子ユニット１４０からなる第１の光電変換素子ユニット（第１の読取手段）だけで読取り、単色光電変換読取ユニット１５０では読取りは行わない。逆に、モノクロが選択されていたならば、単色光電変換素子ユニット１５０である第２の光電変換素子ユニット（第２の読取手段）だけで読取り、赤色光電変換素子ユニット１２０と緑色光電変換素子ユニット１３０及び青色光電変換素子ユニット１４０は読取りを行わない。１ライン読取終了後のタイミングで全ライン読取終了か否かを判断する（Ｓ１６）。全ライン読取が終了していない（Ｓ１６でのＮ）ならばＳ１５へ戻り、読取が終了している（Ｓ１６でのＹ）ならば読取処理を終了する。
【００２４】
このように本第１の実施の形態では光源の発光光量を単色とカラー読取で異なるように設定することにより非時間系の調整を行っているので、調整を行わない場合よりもカラー読取時の１ラインの光蓄積時間を場合短くすることが出来る。
【００２５】
本第１の実施の形態により、ＣＣＤ制御回路部１６０に送られてくるデータはすでに有色フィルタの影響を除去されているので、ＣＣＤ制御回路部１６０にて読取られたライン毎のデータの調整処理をすること無く画像処理部１７５に送ることが出来る。尚、光源１７１については光量を変えられるものであればどの様なものであってもよい。カラーでの読取の感度をモノクロでの読取の感度の半分に低下するとした上で本第１の実施の形態を説明したが、これに限定されない。第１の光量及び第２の光量の設定は有色フィルタでの感度の低下に基づくものであり、この低下に基づいて第１の光量及び第２の光量の値が設定される。また、有色フィルタの感度の低下は色によっても異なる。低下の度合いは赤色と緑色と青色では、緑色の感度の低下が２番目であるので、緑色を基準に第２の光量を設定すると最も忠実に再現が出来る。
【００２６】
（第２の実施の形態）
次に第２の実施の形態について説明をする。画像入力装置の電気的ブロック図とＣＣＤセンサ１１０の構造の同一分は同一符号として説明を省略する。本第２の実施の形態では光源１７１は図示はしないが、２つのキセノン光源を用いている点は第１の実施の形態と異なる。本第２の実施の形態の制御の説明を図４のフローチャートを用いて説明をする。
【００２７】
画像入力装置１００に備えられている選択釦１８３ａが押下されたか否かを判断手段で判断するとともに押下された釦がカラーでの読取か否かを判断する（ステップ２１）。このＳ２１でカラーでの読取が選択されたと判断すると、（Ｓ２１でのＹ）、非時間系調整手段により発光する光源をモノクロ読取時に設定されるキセノン光源に加えて、モノクロ読取時に用いるのと光量が同一のものをもう一つ加えて点灯するように設定をする（Ｓ２２）。また、Ｓ２１でモノクロでの読取が選択されたと判断すると（Ｓ２１でのＮ）、非時間系調整手段により読取時に光源１７１の発光する光源をキセノン光源一つを点灯するように設定をする（Ｓ２２）。次にオペレータによって読取開始釦１８３ｂが押下されたことの判断に起因してモノクロ読取カラー読取の設定に合わせて点灯するキセノン光源に発光するように光源制御回路１７２に指示を出すとともにモータ制御回路１７４にモータ１７３の駆動開始を指示する（Ｓ２４）。このとき１ライン当たりの処理時間である光蓄積時間は標準値に統一されているので、モータ１７３の回転速度はモノクロの場合でもカラーの場合でも同一速度に制御される。モータ１７３の回転速度が一定速度になったならば、各ラインの読取を始める（Ｓ２５）。このときカラーが選択されていたならば、赤色光電変換素子ユニット１２０と緑色光電変換素子ユニット１３０及び青色光電変換素子ユニット１４０からなる第１の光電変換素子ユニット（第１の読取手段）だけで読取り、単色光電変換読取ユニット１５０では読取りは行わない。逆に、モノクロが選択されていたならば、単色光電変換素子ユニット１５０である第２の光電変換素子ユニット（第２の読取手段）だけで読取り、赤色光電変換素子ユニット１２０と緑色光電変換素子ユニット１３０及び青色光電変換素子ユニット１４０は読取りを行わない。１ライン読取終了後のタイミングで全ライン読取終了か否かを判断する（Ｓ２６）。全ライン読取が終了していない（Ｓ２６でのＮ）ならばＳ２５へ戻り、読取が終了している（Ｓ２６でのＹ）ならば読取処理を終了する。
【００２８】
このように本第２の実施の形態では光源の発光光量を単色とカラー読取で発光させる光源の数を異なるように設定することによる非時間系の調整を行っているので、調整を行わない場合よりもカラー読取時の１ライン光蓄積時間を短くすることが出来る。
【００２９】
尚、光源１７１についてはキセノン光源に限らず蛍光灯などどの様な光源であってもよい。また、２つの光源の配置場所は原稿によって反射される光軸に対して線対称の位置によって配置されるのが望ましい。この位置から原稿の照射位置までは双方とも等距離にあり、同じ光量を発光する光源であれば原稿に照射する光量も同一である。本第２の実施の形態においても説明を簡単にするために有色フィルタによる感度低下が半減するとして説明をしたが、有色フィルタの低減率に基づいて光源の数を決定するのは勿論であり、さらに、各光源の位置や光量を同一にする必要はない。
【００３０】
第１の実施の形態及び第２の実施の形態のようにＣＣＤセンサ１１０の前側で非時間系調整手段を用いた場合は、光源変換素子によって得られた情報をそのまま使うのでノイズによる影響を少なくすることが出来る。
【００３１】
（第３の実施の形態）
次に第３の実施の形態について説明をする。画像入力装置の電気的ブロック図とＣＣＤセンサ１１０の構造の同一分は同一符号として説明を省略する。第１または第２の実施の形態では非時間系調整手段を光源からの光情報の進行方向に対してＣＣＤの前方に用いたのに対して、本第３の実施の形態では後方のＣＣＤ制御回路１６０に特徴がある。図５のＣＣＤ制御回路１６０の内部を示している図であるを用いて説明をする。
【００３２】
ＣＣＤ制御回路１６０の内部には、赤色光電変換素子ユニット１２０から出力された電荷を処理する、赤色カップリングコンデンサ１６１Ｒ、赤色相関二重サンプリング回路または赤色サンプリングホールド回路１６２Ｒ、赤色ゲインアンプ回路１６３Ｒ（増幅手段）、赤色オフセット除去回路１６４Ｒ、赤色アナログデジタルコンバータ１６５Ｒ、赤色デジタルアナログコンバータ１６６Ｒなどを含んでいる。赤色カップリングコンデンサ１６１Ｒは赤色光電変換素子ユニットからの出力信号を受取り、赤色相関二重サンプリング回路または赤色サンプルホールド回路１６２Ｒに信号を出力する。赤色ゲインアンプ回路１６３Ｒは赤色相関二重サンプリング回路または赤色サンプリングホールド回路１６２Ｒからの信号を受取り赤色オフセット除去回路１６４Ｒに信号を出力する。赤色カップリングコンデンサ１６１Ｒは赤色光電変換素子ユニット１２０から受取った不確定なレベルを有する信号の直流成分を除去する。赤色相関二重サンプリング回路または赤色サンプルホールド回路１６２Ｒは赤色カップリングコンデンサ１６１Ｒから信号を受取り、ダミー画素部分や有効画素領域の一端に設けてある光シールド領域からの画素部分の電位を基準電位にあわせ込み波形整形するとともにノイズを除去する。
【００３３】
赤色ゲインアンプ回路１６３Ｒの詳細な説明は省略するが、赤色ゲインアンプ回路１６３Ｒは２種類の抵抗素子Ａ及びＢとオペアンプから構成されており、非反転増幅回路または反転増幅回路どちらを用いてもよい。赤色ゲインアンプ回路１６３Ｒの増幅率を、有色フィルタによって低下する感度に基づいて設定することによって、赤色光電変換素子ユニット１２０からの出力信号からの赤色フィルタによる影響を除去でき、以降の信号処理を適正化できる。このとき抵抗素子ＡとＢは固定抵抗を用いても可変抵抗を用いてもよい。また、ＣＰＵ１０１からの電子的な抵抗値可変手段を用いてもよい。
【００３４】
赤色ゲインアンプ回路１６３Ｒで処理された信号は赤色アナログデジタルコンバータ１６６Ｒによって入力レンジに合わせ込む処理を行う。このとき赤色アナログデジタルコンバータ１６５Ｒで直流電流が生成され、赤色アナログデジタルコンバータ１６５Ｒで生成された直流電流に赤色光電変換素子ユニット１２０のダミー画素部分や有効画素領域の一端に設けてある光シールド領域からの画素部分の電位が基準電位一致するように赤色オフセット除去回路１６４Ｒで直流成分の調整を行う。
【００３５】
緑色光電変換素子ユニット１３０から出力された電荷を処理する、緑色カップリングコンデンサ１６１Ｇ、緑色ゲインアンプ回路１６３Ｇ等が設けられている。これらは赤色光電変換処理ユニット１２０からの信号を処理する場合と同様であり、各構成の名称の最初に緑色とつけ対応の番号付与の最後がＧにかわる以外は同様であるので説明を省略する。また、青色光電変換素子ユニット１４０から出力された電荷を処理する場合も同様に各構成の名称の最初に青色とつけ対応の番号付与の最後がＢにかわる以外は同様であるので説明を省略する。さらに単色光電変換素子ユニット１５０から出力された電荷を処理する場合は、単色ゲインアンプ回路が省略されている以外は各構成の名称の最初に単色とつけ対応の番号付与の最後がＫにかわる以外は同様であるので説明を省略する。
【００３６】
第３の実施の形態においても選択釦１８３ａの押下によって赤色光電変換素子ユニット１２０と緑色光電変換素子ユニット１３０と青色光電変換素子ユニット１４０とを用いて読取を行うか単色光電変換ユニット１５０のみを用いて読取を行うかを判断手段によって決定される。その後判断手段によって決定された光電変換素子ユニット側を用いて読取を行う。つまり、このときカラーが選択されていたならば、赤色光電変換素子ユニット１２０と緑色光電変換素子ユニット１３０及び青色光電変換素子ユニット１４０からなる第１の光電変換素子ユニット（第１の読取手段）で読取り、単色光電変換読取ユニット１５０では読取りは行わない。逆に、モノクロが選択されていたならば、単色光電変換素子ユニット１５０である第２の光電変換素子ユニット（第２の読取手段）だけで読取り、赤色光電変換素子ユニット１２０と緑色光電変換素子ユニット１３０及び青色光電変換素子ユニット１４０は読取りを行わない。
【００３７】
このように本第３の実施の形態では光源の発光の光量を第１の読取手段で読取った場合と第２の読取手段で読取った場合でＣＣＤセンサ制御回路１６０内で異なる回路設定することにより非時間系の調整を行っているので、調整を行わない場合よりも１ライン当たりの光蓄積時間をカラー読取の場合短くすることが出来る。
【００３８】
また、本第３の実施の形態のようにＣＣＤセンサ１１０の後側で非時間系調整手段を用いた場合は、各有色フィルタの感度の低下率が異なるので、各有色フィルタによる感度の低下に基づいてここに増幅率を設定することが出来るので、ＣＣＤセンサ１１０の前側で非時間系調整手段を用いた場合より忠実な画像再現が出来る。
【００３９】
尚、非時間系調整手段は第１の実施の形態乃至第３の実施の形態に示したものに限らない。また、ＣＣＤセンサ１１０のどちらか一方のみに非時間系調整手段を用いるのではなく双方に用いてもよい。例えば、ＣＣＤセンサ１１０の前側に有色フィルタによる感度低下の影響が一番少ないフィルタにあわせて非時間系調整手段によって調整するとともにＣＣＤセンサ１１０の後側で有色色フィルタによって２番目に感度低下の影響が少ない色と、最も感度低下の影響が大きい色の二つの信号にのみ対して非時間系調整手段によって調整してもよい。この場合、有色フィルタによって一番感度低下の影響が少ない色に対しては、光電変換素子による電荷蓄積は黒色光電変換素子ユニットの光電変換素子によって得られる電荷蓄積と同等すなわち同じ振幅が得られ、他の２色についてはＣＣＤの後側の非時間系調整手段によって黒色光電変換素子ユニットの光電変換素子によって得られる電荷蓄積と同等すなわち同じ振幅が得られるので、ノイズの影響を抑えることが出来るとともに、有色フィルタの色の違いによる感度低下の影響を補正でき、忠実な画像入力が出来る作用を有する。この場合カラー読取で使用する各光電変換素子ユニットの総てに対してゲインアンプ回路を設けなくともよい。
【００４０】
また、単色光電変換素子ユニットから出力された信号については説明を簡単にするためにゲインアンプ回路を省略したが、必要に応じて設けてもよい。
【００４１】
（第４の実施の形態）
第４の実施の形態では本発明を画像形成装置に応用した場合について説明をする。第４の実施の形態では画像形成装置として電子写真技術を用いて複写機能を有する複合機を想定して説明をする。図６本発明の第４の実施の形態にかかる電気的ブロック図である。図１に示したものは同じ符号を付して説明を省略する。
【００４２】
ＣＰＵ１０１はバスライン１０４を介して、ＣＣＤセンサ１１０で読取った情報に基づいて駆動される光走査装置２１１を制御する光走査装置制御回路２１２と、各種プロセス２２１の制御をする各種プロセス制御回路２２２と、紙葉上に転写されたトナーを熱によって定着する定着器２３１を制御する定着器制御回路２３２と、紙葉を搬送する用紙搬送モータ２３３を制御する用紙搬送制御回路２３４などが接続されている。各種プロセス２２１とは帯電装置、現像装置、転写装置などの総称として用いているが、これらの部分は周知の技術であるので説明を省略する。また、図６において破線で示した分は画像形成部２００に相当する。この画像形成部は黒色トナーを含む黒色画像形成ユニットとカラー画像を形成する黒色とは異なるイエロー、マゼンダ、シアンの３色の有色画像形成ユニットを備えていればどの様な形式であってもよい。
【００４３】
本第４の実施の形態に関するフローチャートを図７を用いて説明をする。尚、画像入力部分に関しては第１の実施の形態乃至第３の実施の形態の何れを用いてもよいが代表例として画像入力部分については第１の実施の形態を用いることとする。
【００４４】
画像入力装置１００に備えられている選択釦１８３ａが押下されたか否かを判断手段で判断するとともに押下された釦がカラー（複数色）での読取か否かを判断する（Ｓ３１）。このＳ３１でカラーでの読取が選択されたと判断すると（Ｓ３１でのＹ）、非時間系調整手段により光源１７１の光量をカラー読取光量として第１の光量に設定をする（Ｓ３２）。モノクロ（単色）での読取が選択されたと判断すると（Ｓ３１でのＮ）、また、Ｓ１１で非時間系調整手段により光源１７１の光量を例えばカラーでの読取光量の半分の第２の光量に低下するように設定をする（Ｓ３３）。次にオペレータによって読取開始釦１８３ｂが押下されたことの判断に起因して光源１７１が設定されている光量を発光するように光源制御回路１７２に指示を出すとともにモータ制御回路１７４にモータ１７３の駆動開始を指示する（Ｓ３４）。このとき１ライン当たりの処理時間である光蓄積時間は標準値に統一されているので、モータ１７３の回転速度は単色の場合でもカラーの場合でも同一速度に制御される。モータ１７３の回転速度が一定速度になったならば、各ラインの読取を始める（Ｓ３５）。このときカラーが選択されていたならば、赤色光電変換素子ユニット１２０と緑色光電変換素子ユニット１３０及び青色光電変換素子ユニット１４０からなる第１の光電変換素子ユニット（第１の読取手段）だけで読取り、単色光電変換読取ユニット１５０では読取りは行わない。逆に、モノクロが選択されていたならば、単色光電変換素子ユニット１５０である第２の光電変換素子ユニット（第２の読取手段）だけで読取り、赤色光電変換素子ユニット１２０と緑色光電変換素子ユニット１３０及び青色光電変換素子ユニット１４０は読取りを行わない。１ライン読取終了後のタイミングで全ライン読取終了か否かを判断する（Ｓ１６）。全ライン読取が終了していない（Ｓ３６でのＮ）ならばＳ３５へ戻り、読取が終了している（Ｓ３６でのＹ）ならば画像形成部を用いて画像形成を行う（Ｓ３７）。
【００４５】
本第４の実施の形態では単色読取と判断された場合には黒色で画像形成すると説明をしたがこれに限定されることはない。オペレータによって画像形成する際の出力の色を選択する釦（画像形成色指定手段）をキーパネル１８３上に設けてもよくその入力に基づいて黒色とは異なる有色画像形成ユニットの指定の色一色によって画像形成をするようにしてもよい。尚、画像形成色指定手段に黒色で画像出力を選択する選択釦を設けてもよい。
【００４６】
尚、第４の画像形成装置の画像形成２００については電子写真方式を用いて説明をしたが、画像形成部は電子写真方式に限らずインクジェット方式やサーマル方式であってもよい。また、画像形成部は黒色と黒色とは異なる複数の有色の画像形成ユニットを備えたものであれば尚望ましい。
【００４７】
【発明の効果】
本発明によれば、有色フィルタを備えて光電変換素子の感度が低下しても、その低下分を非時間系調整手段にて調整を行い、カラー画像を読取る場合に１ライン当たりの読込み時間を短くする効果を有する。
【図面の簡単な説明】
【図１】本発明の第１乃至第３の実施の形態の画像入力装置に関する電気的ブロック図。
【図２】本発明の第１乃至第３の実施の形態の画像入力手段の詳細な回路図。
【図３】本発明の第１の実施の形態の制御を示すフローチャート。
【図４】本発明の第２の実施の形態の制御を示すフローチャート。
【図５】本発明の第３の実施の形態のＣＣＤ制御回路の詳細な回路図。
【図６】本発明の第４の実施の形態の画像形成装置に関する電気的ブロック図。
【図７】本発明の第４の実施の形態の制御を示すフローチャート。
【符号の説明】
１１０・・・ＣＣＤセンサ
１２０・・・赤色光電変換素子ユニット（第１の読取手段）
１３０・・・緑色光電変換素子ユニット（第１の読取手段）
１４０・・・青色光電変換素子ユニット（第１の読取手段）
１５０・・・単色光電変換素子ユニット（第２の読取手段）
１６０・・・ＣＣＤセンサ制御回路
１６３・・・ゲインアンプ回路（非時間系調整手段）
１７１・・・光源
１６３Ｒ・・・赤色ゲインアンプ回路（増幅手段）
１６３Ｇ・・・緑色ゲインアンプ回路（増幅手段）
１６３Ｂ・・・青色ゲインアンプ回路（増幅手段）
Ｓ１２・・・非時間系調整手段
Ｓ１３・・・非時間系調整手段
Ｓ２２・・・非時間系調整手段
Ｓ２３・・・非時間系調整手段
Ｓ３２・・・非時間系調整手段
Ｓ３３・・・非時間系調整手段
【図１】
2004343673.tif 000003
【図２】
2004343673.tif 000004
【図３】
2004343673.tif 000005
【図４】
2004343673.tif 000006
【図５】
2004343673.tif 000007
【図６】
2004343673.tif 000008
【図７】
2004343673.tif 000009